(57)【要約】【課題】散熱装置を提供する。【解決手段】本案の散熱装置は、二方向モーター固定設計の散熱装置で、第一フレームと第二フレームとからなるファンフレームと、前記ファンフレーム内に設置されるローターブレードと、からなる。前記第一フレームは、ベアリングチューブを有して、第一ベアリングを容置し、前記第二フレームはベースを有して、第二ベアリングを容置し、共同で、ローターブレードの回転軸を支承、固定する。【選択図】図５
2006002751.tif 000002
【特許請求の範囲】
【請求項１】
散熱装置であって、
第一フレームと第二フレームとからなるファンフレームと、
前記ファンフレーム内に設置され、前記第一フレームは、スリーブベースを有して、第一ベアリングを容置し、前記第二フレームはベースを有して、第二ベアリングを容置し、共同で、回転軸を支承するローターブレードと、
からなることを特徴とする散熱装置。
【請求項２】
前記ローターブレードは、底板、環部、及び、第一ブレードユニット、からなることを特徴とする請求項１に記載の散熱装置。
【請求項３】
前記第一ブレードユニットは、前記環部から前記底板表面まで下方向に延伸することを特徴とする請求項２に記載の散熱装置。
【請求項４】
前記ローターブレードは、第二ブレードユニットを有し、前記底板表面に設置されることを特徴とする請求項２に記載の散熱装置。
【請求項５】
前記第一及び第二ブレードユニットのブレード数、形状、尺寸、外径、或いは、高度は、相同か不相同であることを特徴とする請求項４に記載の散熱装置。
【請求項６】
前記第一及び第二ブレードユニットは、互いに連接、部分的に連接、或いは、完全に不連接であることを特徴とする請求項４に記載の散熱装置。
【請求項７】
前記第一及び第二ブレードユニットは、前記ローターブレードの相同側、或いは、異なる側に位置することを特徴とする請求項４に記載の散熱装置。
【請求項８】
前記環部、前記底板、前記第一ブレードユニット、前記第二ブレードユニットは、一体射出成形で生成されるか、或いは、前記底板と前記第一ブレードユニットが一体射出成形、前記環部と前記第二ブレードユニットが一体射出成形で、それを完全なローターブレードに組み合わせることを特徴とする請求項４に記載の散熱装置。
【請求項９】
前記ファンフレームは、少なくともひとつの風入口を有し、前記第二フレーム上に形成され、前記風入口内縁に、壁面を有し、前記フレーム内部に向かって延伸し、前記ファンフレーム内空間を分割して、集気流道を定義することを特徴とする請求項１に記載の散熱装置。
【請求項１０】
前記壁面の一端が凸縁を有し、集気流道の入口を定義し、前記ローターブレードは、ブレードユニットを有して、前記集気流道の入口付近に向かって、径方向に延伸することを特徴とする請求項９に記載の散熱装置。
【請求項１１】
前記集気流道の高度と前記ローターブレードを流経する高度は、部分的、或いは、完全に重複し、前記集気流道の断面積は、実質上、前記ファンフレームの風出口の断面積と等しいことを特徴とする請求項９に記載の散熱装置。
【請求項１２】
第二フレームの風入口内に、更に、ベースを有すると共に、複数の導流構造は、前記ベースと前記壁面間に設置され、前記散熱装置の風圧を増加させることを特徴とする請求項９に記載の散熱装置。
【請求項１３】
前記複数の導流構造は、前記基部、或いは、前記壁面に固定され、その形状は、長方形、扁平板状、曲弧状、或いは、翼形であることを特徴とする請求項１２に記載の散熱装置。
【請求項１４】
前記複数の導流構造は、部分的に前記基部と前記壁面間に連接し、もう一つの部分は、両端がそれぞれ、前記ベースと前記壁面に連接され、中間部分は不連続で、自由端を形成していることを特徴とする請求項１２に記載の散熱装置。
【請求項１５】
前記複数の導流構造は、部分的にベースと壁面の間に連接され、一部分は一端が壁面に連接され、もう一端が自由端で、他の部分は、一端がベースに連接され、もう一端が自由端であることを特徴とする請求項１２に記載の散熱装置。
【請求項１６】
前記ファンフレームは、少なくとも一つの風出口を有すると共に、導流構造を設置していることを特徴とする請求項１に記載の散熱装置。
【請求項１７】
前記ファンフレーム内に、軸圧縮式風道を有することを特徴とする請求項１に記載の散熱装置。
【請求項１８】
更に、駆動装置を備え、前記ベアリングチューブ上に嵌接され、且つ、前記ローターブレード内に結合されて、前記ローターブレードを駆動することを特徴とする請求項１に記載の散熱装置。
【発明の詳細な説明】
【技術分野】
【０００１】
本発明は、散熱装置に関するものであって、特に、二方向モーター固定設計の高圧遠心ファンに関するものである。
【背景技術】
【０００２】
一般の送風機は、図１で示されるように、外フレーム１０、モーター１１、ファンブレード構造１２、及び、上蓋１３、からなり、外フレーム１０は、送風機の風出口となる開口１０１を備え、モーター１１は、外フレーム１０のベース１０２に嵌接され、ファンブレード構造１２を転動する。上蓋１３は、送風機の風入口となる円形開口１３１を有する。ファンブレード構造１２は、更に、ハブ１２１、環形板１２２、及び、その上に環設された複数個のブレード１２３、からなる。
【０００３】
公知の送風機の設計において、モーターの固定は、図２、及び、図３で示されるように、単一側固定で、図２中、単一ベアリング１４により、回転軸１５を固定、支承し、ベアリング１４はベース１０２内に設置される。図３において、二つのベアリング１４１、１４２がベース１０２内に設置されて、回転軸１５を固定、支承する。しかし、高圧の遠心ファンに応用する時、このような設計方式は、不安定であり、振動が更にひどくなる。
【発明の開示】
【発明が解決しようとする課題】
【０００４】
本発明は、二方向固定モーター設計を応用する散熱装置を提供することを目的とする。
【０００５】
本発明は、二方向固定モーター設計を応用する高圧遠心ファンを提供し、高速運転時の安定性を向上させ、振動の発生を減少させることをもう一つの目的とする。
【課題を解決するための手段】
【０００６】
本発明の散熱装置は、第一及び第フレームからなるファンフレームと、前記ファンフレーム内に設置されるローターブレードと、からなる。前記第一フレームは、ベアリングチューブを有して、第一ベアリングを容置し、第二フレームはベースを有して、第二ベアリングを容置して、共同で、ローターブレードの回転軸を支承する。
【０００７】
好ましくは、ローターブレードは、底板、環部、第一ブレードユニットからなる。前記第一ブレードユニットは、前記環部の外周から下方向に、前記底板表面に延伸する。前記ローターブレードは、更に、第二ブレードユニットを有し、前記底板表面に設置され、第一ブレードユニットと第二ブレードユニットは、上下、或いは、左右の交錯排列で配置される。第一ブレードユニットと第二ブレードユニットのブレード数、形状、或いは、尺寸は、相同でも不相同でもよい。両者のブレード外径、或いは、高度は、相同でも不相同でもよい。この他、第一ブレードユニットと第二ブレードユニットは、互いに連接、部分的に連接、完全に不連接である。第一ブレードユニットと第二ブレードユニットは、ローターブレードの相同側、或いは、ローターブレードの相反側に位置する。
【０００８】
好ましくは、環部、底板、第一ブレードユニット、第二ブレードユニットは、一体射出成形方式で生成される。或いは、底板と第一ブレードユニットは、一体射出成形方式で、環部と第二ブレードユニットは一体射出成形して、更に、ローターブレードに組み合わせる。
【０００９】
この他、ファンフレームは、少なくとも一つの風入口を有し、第二フレーム上に形成される。風入口内縁は壁面を有し、ファンフレーム内部に延伸して、フレーム内空間を分割して、集気流道を定義する。壁面の一端は凸縁を有し、集気流道の入口を定義する。ローターブレードのブレードユニットは、集気流道の入口付近で、径方向に延伸する。集気流道の高度とローターブレードを流経する流道高度は、部分的、或いは、完全に重畳する。集気流道の断面積は、実質上、風出口の断面積と等しい。
【００１０】
この他、第二フレームの風入口に、更に、ベースと複数の導流構造を設け、複数の導流構造は、ベースと壁面の間に設置されて、散熱装置の風圧を向上する。複数の導流構造は、ベース、或いは、壁面に固定され、長方形、扁平板、曲弧状、或いは、翼形の構造を呈する。複数の導流構造は傾斜角度を有し、その形状は、ローターブレードのブレード形状と相似している。
【００１１】
好ましくは、複数の導流構造は、部分的に、ベースと壁面の間に連接され、残りの部分は、両端がそれぞれ、ベースと壁面に連接され、中間部分は不連接で、自由端を形成する。
【００１２】
更に好ましくは、複数の導流構造は、部分的にベースと壁面の間に連接され、一部分は一端が壁面に連接され、もう一端が自由端で、他の部分は、一端がベースに連接され、もう一端が自由端である。
【００１３】
この他、ファンフレームは、少なくとも一つの風出口を備えると共に、導流構造を有する。更に、ファンフレーム内に軸圧縮式風道を有する。
【００１４】
散熱装置は、単一方向入風型送風機、逆フック式遠心ファン、双方向入風型送風機、遠心ファン、或いは、軸流式ファンである。
【００１５】
この他、散熱装置は、更に、駆動装置を備え、ベアリングチューブ上に嵌設され、且つ、ローターブレード内に結合され、ローターブレードを駆動する。
【発明の効果】
【００１６】
高圧遠心ファンに応用して、高速運転時の安定性を向上させ、振動の発生を低下させる。
【発明を実施するための最良の形態】
【００１７】
図４〜図６は、本案の散熱装置の第一実施例を示す図である。実施例中、遠心ファンを例としているが、軸流ファンに応用してもよい。遠心ファンは単一方向入風型の送風機で、主に、第一フレーム２１、第二フレーム２２、駆動装置２３と、鉄ハウジング２４と、ローターブレード２５、からなる。第一フレーム２１は、ベアリングチューブ２１１を有し、駆動装置２３がその上に承置されている、ローターブレード２５内に結合し、ローターブレードを駆動する。第二フレーム２２は、風入口２２１、及び、風入口内縁から下に延伸する壁面２２２を備え、第二フレーム２２と第一フレーム２１が組み合わされた後、壁面２２２により、第二フレーム２２と第一フレーム２１の組み合わせ後に形成される空間を分割して、集気流道２６とローターブレード２５を容置する空間を定義し、同時に、風出口２１２を形成する。壁面底端は、径方向に外に向かって延伸する凸縁２２３を有し、集気流道の入口２６１を定義する。
【００１８】
ローターブレード２５は、環部２５１、底板２５２、第一ブレードユニット２５３、第二ブレードユニット２５４からなる。第一ブレードユニット２５３と第二ブレードユニット２５４は、どちらも、複数のブレードからなり、第一ブレードユニット２５３は、環部２５１の外周から下に底板２５２表面まで延伸している。第一ブレードユニット２５３と第二ブレードユニット２５４の配列方式は、図４で示されるように、交互配列である。
【００１９】
もちろん、第一ブレードユニット２５３と第二ブレードユニット２５４の尺寸、形状、配置方式は、図４のような設計に限定されず、例えば、ローターブレードのファンブレード設計は、少なくとも二種類以上のブレードユニットからなる複合式ファンブレード設計でもよい。各種ブレードユニットのブレード数、形状、尺寸は、相同でも不相同でもよい。各ブレードの外径と高度は、相同でも不相同でもよい。排列配置上、各ブレードユニット間は、互いに連接、部分的に連接、完全に不連接で、各ブレードユニットは、ローターブレードの相同側か、相反する側にある。環部、底板、第一ブレードユニット、第二ブレードユニットは、一体射出成形方式で生成される。或いは、底板と第一ブレードユニットは、一体射出成形方式で、環部と第二ブレードユニットは一体射出成形して、更に、ローターブレードに組み合わせる。
【００２０】
第二フレーム２２の風入口に、更に、ベース２２４を設置し、且つ、複数の導流構造２２５がベース２２４と壁面２２２間に設置されて、遠心ファンの風圧を増加させる。
【００２１】
遠心ファンが運転する時、気流は、風入口２２１から吸入された後、ローターブレードの第一ブレードユニット２５３と第二ブレードユニット２５４を経て、更に、集気流道２６に位置する入口２６１を経て、集気流道２６に導入して、加圧と気体保留を実施して、風圧の急速な変化を防止し、更に、風出口２１２から、高圧の気流を排出する。
【００２２】
本実施例において、遠心ファンの風入口辺縁で下向きに延伸した壁面が、小さい風出口だけを残して、集気流道２６とローターブレード２５を隔て、僅かに、小さい風出口だけを残し、ローターブレードを流経する空気流の加圧過程を長くして、圧力の急速な変化を防止する。ローターブレードの軸向き上で、集気流道の高度とローターブレード及び導流を流経する流動高度は、一部、或いは、完全に重畳し、遠心ファンの薄型化の目的を達成する。集気流道２６の断面積は、実質上、風出口２１２の断面積と等しい。これにより、気流が、面積の変化により、作業効率が低下するのを回避することができる。
【００２３】
この他、本発明は、図５で示されるように、第一ベアリング２３１をベアリングチューブ２１１内に配置する以外に、別に、第二ベアリング２３２を第二フレーム２２のベース２２４内側に設けて、ローターブレード２５の回転軸２７を共同で支承して、ファンが高速運転する安定性を向上させ、振動の発生を減少させる。使用するベアリングは、ボールベアリング、或いは、スリーブベアリングである。この他、本発明は、図６で示されるような、軸圧縮式風道２９設計を採用してもよい。
【００２４】
上述の導流構造が風入口に配置される方式以外に、類似の導流構造が、更に、散熱装置の風出口に設置され、導流構造の個数、形状、配置方式は、必要に応じて異なる選択と変化が可能である。このほか、本案の構想が、逆フック式遠心ファン、双方向入風型送風機、遠心ファン、或いは、軸流式ファンに応用される時、導流構造は、その中の風入口に設置されるか、同時に、各風入口に設置される。
【００２５】
上述のように、本発明は、二方向固定モーター設計を応用した散熱装置を提供し、特に、高圧遠心ファンに応用して、高速運転時の安定性を向上させ、振動の発生を低下させる。
【００２６】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。
【図面の簡単な説明】
【００２７】
【図１】公知の送風機の立体分解図である。
【図２】公知の送風機の断面図である。
【図３】公知の送風機のもう一つの断面図である。
【図４】本発明の散熱装置の好ましい実施例の立体分解図である。
【図５】図４の散熱装置の断面図である。
【図６】図４の散熱装置の組み合わせ立体図である。
【符号の説明】
【００２８】
１０…外フレーム
１１…モーター
１２…ファンブレード構造
１３…上蓋
１０１…開口
１０２…ベース
１３１…円形開口
１２１…ハブ
１２２…環形板
１２３…ブレード
１４、１４１、１４２…ベアリング
１５…回転軸
２１…第一ファンフレーム
２２…第二ファンフレーム
２３…駆動装置
２４…鉄ハウジング
２５…ローターブレード
２１１…ベアリングチューブ
２３１、２３２…ベアリング
２７…回転軸
２２１…風入口
２２２…壁面
２６…集気流道
２１２…風出口
２２３…凸縁
２６１…入口
２５１…環部
２５２…底板
２５３…第一ブレードユニット
２５４…第二ブレードユニット
２２４…ベース
２２５…導流構造
２９…軸圧縮式風道
【図１】
2006002751.tif 000003
【図２】
2006002751.tif 000004
【図３】
2006002751.tif 000005
【図４】
2006002751.tif 000006
【図５】
2006002751.tif 000007
【図６】
2006002751.tif 000008